(57)【要約】【課題】小型軽量化を図ることが可能な情報処理装置を得る。【解決手段】第１筐体と第２筐体とが、第１筐体の第１面と第２筐体の第１面とが対向する第１の積層状態と、第１筐体の第１面に対向する第２面と第２筐体の第１面に対向する第２面とが対向する第２の積層状態とに回動可能にヒンジによって接続されている情報処理装置であって、第１筐体又は第２筐体の何れか一方に内蔵された磁気センサにより、第２筐体又は第１筐体の何れか一方に内蔵された磁石が発生する第１面から筐体外に向かう磁力線を検出することにより、何れの積層状態であるかを判定する。【選択図】図８
2016076045.tif 000002
【特許請求の範囲】
【請求項１】
第１筐体と第２筐体とが、前記第１筐体の第１面と前記第２筐体の第１面とが対向する第１の積層状態と、前記第１筐体の第１面に対向する第２面と前記第２筐体の第１面に対向する第２面とが対向する第２の積層状態とに回動可能にヒンジによって接続されている情報処理装置であって、
前記第１筐体又は前記第２筐体の何れか一方に内蔵された磁気センサにより、前記第２筐体又は前記第１筐体の何れか一方に内蔵された磁石が発生する前記第１面から筐体外に向かう磁力線を検出することにより、何れの積層状態であるかを判定することを特徴とする情報処理装置。
【請求項２】
前記磁石は、磁極同士を結んだ直線が前記第１面に平行になるよう配置され、
前記第１の積層状態又は第２の積層状態において、前記磁気センサは、前記磁石に対し、前記磁極同士を結んだ直線を含む平面上であって前記磁石の中心からずれた位置に配置されることを特徴とする請求項１に記載の情報処理装置。
【請求項３】
前記磁石は、磁極同士を結んだ直線が前記第１面に垂直になるよう配置され、
前記第１の積層状態または第２の積層状態において、前記磁気センサは、前記磁石に正対する位置に配置されることを特徴とする請求項１に記載の情報処理装置。
【請求項４】
情報処理のための入力を受け付ける入力部を前記第１筐体又は前記第２筐体の第１面に有し、情報処理結果を表示する表示部を前記第２筐体又は前記第１筐体の第１面に有することを特徴とする請求項１から３の何れか１項に記載の情報処理装置。
【請求項５】
前記第１の積層状態と前記第２の積層状態との間で、前記第１筺体の第１面と前記第２筺体の第１面とが同一面で展開する展開状態となることを特徴とする請求項１から４の何れか１項に記載の情報処理装置。
【発明の詳細な説明】
【技術分野】
【０００１】
本発明は、情報処理装置に関する。
【背景技術】
【０００２】
従来、ＬＣＤ（Liquid Crystal Display）等の表示部を有する第１の筺体と、この第１の筺体に対して複数の角度で位置決めされるキーボード等の操作部を有する第２筺体との開閉角度が、０度から１８０度（以下、クラムシェルモードともいう。）の間であった折りたたみ式のノート型パーソナルコンピュータ（以下、ノートＰＣともいう。）が、近年のウィンドウズ（登録商標）８のリリースに伴い、第１の筺体の表示部を有する面の反対面と、第２の筺体の操作部を有する面の反対面とが重なるような折り畳み状態（以下、コンバーチブルモードともいう。）で使用される機種が出現してきている。
【０００３】
すなわち、従来は、第１の筺体と第２の筺体との開閉角度が０度から１８０度の間で一意に定められるものが、開閉角度が１８０度から３６０度まで拡大した状態で位置決めされるようになる。そして、表示部にタッチパネルを採用し、表示部が操作部を兼用することにより、ＰＣをタブレットモードで使用できるようにした機種が発売されている。
【０００４】
このとき、第１の筺体と第２の筺体とが積層状態になる場合として、第１の筺体と第２の筺体との開閉角度が０度の場合と３６０度の場合とがあり、この２種類の開閉角度の状態では、それぞれＰＣの動作モードが異なるので、ＰＣの内部で明確に判別する必要がある。
【０００５】
特許文献１には、第１の筐体と、この第１の筐体に対し複数の状態で位置決めされる第２の筐体とを備えたコンバーチブルモードとしても使用可能な構造を有する情報処理装置において、磁石２１が発生する磁場の向きに基づいて、ノーマルモード（第１の筺体の上面（キーボード１３を有する面）が第２の筺体のＬＣＤを有する面で覆われて閉じられた第１の状態）か、タブレットモード（ＬＣＤが露出するように第１の筐体の上面（キーボード１３を有する面）が第２の筺体のＬＣＤを有する面の背面で覆われて閉じられた第２の状態）か、を判別すべく、磁気センサ２２が、コンピュータ本体１１の上面の法線方向に沿う２つの磁場の向きを判別可能なようにコンピュータ本体１１に配置されていることが開示されている。
【０００６】
そして、ノーマルモードにおいて、磁気センサ２２は、磁石２１のＮ極からＳ極へ向かって発生する磁力線を磁気センサ２２の上面から下面へ向かう磁束方向として検知し、タブレットモードにおいて、磁気センサ２２は、磁石２１のＮ極からＳ極へ向かって発生する磁力線を磁気センサ２２の下面から上面へ向かう磁束方向として検知し、１つの磁石と１つの磁気センサ２２のみで、ノーマルモード（キーボード１３がＬＣＤで覆われて閉じられる状態）と、タブレットモード（ＬＣＤを露出して閉じられる状態）とを互いに検出できることが記載されている。すなわち、特許文献１では、ＬＣＤが閉じられた状態（開閉角度０度）とタブレット状態（開閉角度３６０度）との判別を、１つの磁石と１つの磁気センサとを使って行っている。
【先行技術文献】
【特許文献】
【０００７】
【特許文献１】特開２００８−２５０８３５号公報
【発明の概要】
【発明が解決しようとする課題】
【０００８】
従来から、クラムシェルモードを有するＰＣと、コンバーチブルモードを有するＰＣとを同時期に開発する場合、操作部を有する第２の筺体（以下、本体シャーシともいう。）の設計を共通化し、表示部を有する第１の筺体（以下、パネルシャーシともいう。）のみを、それぞれのモードに対応させて開発することにより、開発効率を上げる取り組みが行われている。そうすると、コンバーチブルモードの機種では、第１の筺体と第２の筺体との開閉角度について０度と３６０度とを明確に判別する必要がある。そのため、磁界の強さに応じて電気抵抗値が変化する磁気抵抗（ＭＲ：Magneto Resistive）素子（ＭＲセンサ）を、磁石、及びガード板金とセットにして、それぞれの角度に応じた数、すなわち、ＭＲセンサ、磁石、及びガード板金からなる開閉角度検出機構を２個設ける必要があるため、コンバーチブルモードの機種に要求される小型軽量化といった仕様を満たすことができないという問題がある。
【０００９】
また、特許文献１に記載された技術は、１つの磁石と１つの磁気センサとを用い、磁気センサの上部において、Ｎ極からＳ極へ向かう磁束方向を判別し、ノーマルモードとタブレットモードという複数の閉状態を判別している。しかしながら、特許文献１に記載された技術は、コンバーチブルモードを有する機種を単独で開発する場合には向いているが、第１の筺体と第２の筺体とが２軸ヒンジを介して連結されているので、２軸ヒンジが不要なクラムシェルモードのノートＰＣと、２軸ヒンジを必要とするコンバーチブルモードのノートＰＣとを、本体シャーシを共用化して開発することができないという問題がある。
【００１０】
そこで本発明は、上記従来の問題点に鑑みてなされたもので、クラムシェルタイプの機種とコンバーチブルタイプの機種とを同時並行で開発するに際し、本体シャーシのプリント基板の共用化を図るため、パネルシャーシと本体シャーシとの開閉状態を検出するセンサを、両タイプの機種において共用することにより、両タイプの機種において小型軽量化を図ることが可能な情報処理装置を提供することを目的とする。
【課題を解決するための手段】
【００１１】
上記課題を解決するため、請求項１に記載の本発明における情報処理装置は、第１筐体と第２筐体とが、前記第１筐体の第１面と前記第２筐体の第１面とが対向する第１の積層状態と、前記第１筐体の第１面に対向する第２面と前記第２筐体の第１面に対向する第２面とが対向する第２の積層状態とに回動可能にヒンジによって接続されている情報処理装置であって、前記第１筐体又は前記第２筐体の何れか一方に内蔵された磁気センサにより、前記第２筐体又は前記第１筐体の何れか一方に内蔵された磁石が発生する前記第１面から筐体外に向かう磁力線を検出することにより、何れの積層状態であるかを判定することを特徴とする。
【００１２】
また、請求項２に記載の情報処理装置は、請求項１に記載の情報処理装置において、前記磁石は、磁極同士を結んだ直線が前記第１面に平行になるよう配置され、前記第１の積層状態又は第２の積層状態において、前記磁気センサは、前記磁石に対し、前記磁極同士を結んだ直線を含む平面上であって前記磁石の中心からずれた位置に配置されることを特徴とする。
【００１３】
さらに、請求項３に記載の情報処理装置は、請求項１に記載の情報処理装置において、前記磁石は、磁極同士を結んだ直線が前記第１面に垂直になるよう配置され、前記第１の積層状態または第２の積層状態において、前記磁気センサは、前記磁石に正対する位置に配置されることを特徴とする。
【００１４】
また、請求項４に記載の情報処理装置は、請求項１から３の何れか１項に記載の情報処理装置において、情報処理のための入力を受け付ける入力部を前記第１筐体又は前記第２筐体の第１面に有し、情報処理結果を表示する表示部を前記第２筐体又は前記第１筐体の第１面に有することを特徴とする。
【００１５】
そして、請求項５に記載の情報処理装置は、請求項１から４の何れか１項に記載の情報処理装置において、前記第１の積層状態と前記第２の積層状態との間で、前記第１筺体の第１面と前記第２筺体の第１面とが同一面で展開する展開状態となることを特徴とする。
【発明の効果】
【００１６】
本発明によれば、パネルシャーシと本体シャーシとの開閉状態を検出するセンサを、クラムシェルタイプの機種とコンバーチブルタイプの機種とにおいて共用することにより、小型軽量化を図ることが可能な情報処理装置が得られる。
【図面の簡単な説明】
【００１７】
【図１】本発明の実施形態における情報処理装置のパネルシャーシと本体シャーシとを開閉角度９０度で開いたときの斜視図である。
【図２】本発明の実施形態における情報処理装置のパネルシャーシと本体シャーシとを開閉角度０度で閉じたときの斜視図である。
【図３】本発明の実施形態における情報処理装置のパネルシャーシと本体シャーシとを開閉角度１８０度で開いたときの斜視図である。
【図４】本発明の実施形態における情報処理装置のパネルシャーシと本体シャーシとを開閉角度３６０度で閉じたときの斜視図である。
【図５】本発明の実施形態における情報処理装置のパネルシャーシと本体シャーシとを開閉角度０度で閉じたときの斜視図である図２のＡ−Ａ断面図である。
【図６】本発明の実施形態における情報処理装置のパネルシャーシと本体シャーシとを開閉角度１８０度で開いたときの斜視図である図３のＢ−Ｂ断面図である。
【図７】本発明の実施形態における情報処理装置のパネルシャーシと本体シャーシとを開閉角度３６０度で開いたときの斜視図である図４のＣ−Ｃ断面図である。
【図８】本発明の実施形態における情報処理装置のパネルシャーシに磁石、本体シャーシにホール検出センサを搭載したときのパネルシャーシと本体シャーシとを開閉角度０度で閉じたときの斜視図である図２のＤ−Ｄ断面図である。
【図９】本発明の実施形態における情報処理装置のパネルシャーシに磁石、本体シャーシにホール検出センサを搭載したときのパネルシャーシと本体シャーシとを開閉角度３６０度で閉じたときの斜視図である図４のＥ−Ｅの断面図である。
【図１０】本発明の実施形態における情報処理装置のパネルシャーシにホール検出センサ、本体シャーシに磁石を搭載したときのパネルシャーシと本体シャーシとを開閉角度０度で閉じたときの斜視図である図２のＤ−Ｄ断面図である。
【図１１】本発明の実施形態における情報処理装置のパネルシャーシにホール検出センサ、本体シャーシに磁石、を搭載したときのパネルシャーシと本体シャーシとを開閉角度３６０度で閉じたときの斜視図である図４のＥ−Ｅ断面図である。
【図１２】本発明の他の実施形態における情報処理装置のパネルシャーシに磁石、本体シャーシにホール検出センサを搭載したときのパネルシャーシと本体シャーシとを開閉角度０度で閉じたときの斜視図である図２のＤ−Ｄ断面図である。
【図１３】本発明の他の実施形態における情報処理装置のパネルシャーシに磁石、本体シャーシにホール検出センサを搭載したときのパネルシャーシと本体シャーシとを開閉角度３６０度で閉じたときの斜視図である図４のＥ−Ｅの断面図である。
【図１４】本発明の他の実施形態における情報処理装置のパネルシャーシにホール検出センサ、本体シャーシに磁石を搭載したときのパネルシャーシと本体シャーシとを開閉角度０度で閉じたときの斜視図である図２のＤ−Ｄ断面図である。
【図１５】本発明の他の実施形態における情報処理装置のパネルシャーシにホール検出センサ、本体シャーシに磁石、を搭載したときのパネルシャーシと本体シャーシとを開閉角度３６０度で閉じたときの斜視図である図４のＥ−Ｅ断面図である。
【発明を実施するための形態】
【００１８】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、第１筐体と第２筐体とが、第１筐体の第１面と第２筐体の第１面とが対向する第１の積層状態と、第１筐体の第１面に対向する第２面と第２筐体の第１面に対向する第２面とが対向する第２の積層状態とに回動可能にヒンジによって接続されている情報処理装置であって、第１筐体又は第２筐体の何れか一方に内蔵された磁気センサにより、第２筐体又は第１筐体の何れか一方に内蔵された磁石が発生する第１面から筐体外に向かう磁力線を検出することにより、何れの積層状態であるかを判定するにより、小型軽量化を図ることが可能な情報処理装置を提供することができるのである。
【００１９】
まず、本発明の実施形態における情報処理装置のパネルシャーシと本体シャーシとについて説明する。図１は、本発明の実施形態における情報処理装置のパネルシャーシと本体シャーシとを開閉角度９０度で開いたときの斜視図である。
【００２０】
図１において、情報処理装置（ノートＰＣ）１００は、ＬＣＤ（Liquid Crystal Display）やタッチパネル等で構成され、情報処理結果を表示する表示部２５を有するパネルシャーシ（第１筺体）２２と、キーボード・クリックパッド等の入力部で構成される操作部２４を有する本体シャーシ（第２筺体）２１とが、ヒンジ２３を介して、回動可能に軸支、連結されている。図１では、パネルシャーシ２２と本体シャーシ２１との開閉角度は９０度となっている。この状態で、ユーザは、操作部２４を操作することにより、ノートＰＣを使用することができる。
【００２１】
ユーザがノートＰＣ１００の使用を終えたとき、又は操作することなく持ち運ぶとき、パネルシャーシ２２と本体シャーシ２１とは、図２のように折り畳まれる。図２は、本発明の実施形態における情報処理装置のパネルシャーシと本体シャーシとを開閉角度０度で閉じたときの斜視図である。このとき、図５に示すように、パネルシャーシ２２の表示部２５を有する面と本体シャーシ２１の操作部２４を有する面とが互いに対向し、パネルシャーシ２２と本体シャーシ２１とが積層された状態となる。そして、ノートＰＣ１００は、電源オフ状態や表示部２５をオフにすることができる。図５は、本発明の実施形態における情報処理装置のパネルシャーシと本体シャーシとを開閉角度０度で閉じたときの斜視図である図２のＡ−Ａ断面図である。
【００２２】
次に、パネルシャーシ２２と本体シャーシ２１との開閉角度が、図２に示した０度の状態から図１に示した９０度の状態を経て、図３に示すような１８０度に展開した状態となる。図３は、本発明の実施形態における情報処理装置のパネルシャーシと本体シャーシとを開閉角度１８０度で開いたときの斜視図である。このとき、図６に示すように、パネルシャーシ２２の表示部２５を有する面と本体シャーシ２１の操作部２４を有する面とは、同一面で展開された展開状態となる。図６は、本発明の実施形態における情報処理装置のパネルシャーシと本体シャーシとを開閉角度１８０度で開いたときの斜視図である図３のＢ−Ｂ断面図である。
【００２３】
クラムシェルモードのノートＰＣでは、パネルシャーシ２２と本体シャーシ２１との開閉角度は、図３、図６に示すように１８０度が限度であるが、コンバーチブルモードのノートＰＣでは、パネルシャーシ２２と本体シャーシ２１との開閉角度が、１８０度を超えて３６０度に至るまで両シャーシを回転することが可能である。これについて図４を用いて説明する。
【００２４】
図４は、本発明の実施形態における情報処理装置のパネルシャーシと本体シャーシとを開閉角度３６０度で閉じたときの斜視図である。このとき、図７に示すように、パネルシャーシ２２の表示部２５を有する面の反対面と、本体シャーシ２１の操作部２４を有する面の反対面とが互いに対向し、パネルシャーシ２２と本体シャーシ２１とが積層された状態となる。図７は、本発明の実施形態における情報処理装置のパネルシャーシと本体シャーシとを開閉角度３６０度で開いたときの斜視図である図４のＣ−Ｃ断面図である。そして、ノートＰＣ１００の表示部２５をタッチパネルＬＣＤ等で構成することにより、パネルシャーシ２２と本体シャーシ２１とを閉じた状態であっても、ノートＰＣ１００をタブレットＰＣとして使用することができる。この状態のときは、本体シャーシ２１に搭載のキーボード・クリックパッド等の入力デバイスは誤入力防止のため、機能オフとなる。このように、コンバーチブルモードのノートＰＣ１００は、図３（図６）の状態から図４（図７）の状態へ両シャーシの開閉角度を変化させることができる。
【００２５】
このように、コンバーチブルモードのノートＰＣ１００において、パネルシャーシ２２と本体シャーシ２１とが積層状態になる場合として、パネルシャーシ２２と本体シャーシ２１との開閉角度が０度の場合（図２）と３６０度の場合（図４）とがあり、この２種類の開閉角度の状態では、それぞれノートＰＣ１００の動作モードが異なるので、ノートＰＣ１００の内部で明確に判別する必要がある。その具体的な方法について以下図８及び図９を用いて説明する。
【００２６】
図８は、本発明の実施形態における情報処理装置のパネルシャーシに磁石、本体シャーシにホール検出センサを搭載したときのパネルシャーシと本体シャーシとを開閉角度０度で閉じたときの斜視図である図２のＤ−Ｄ断面図である。また、図９は、本発明の実施形態における情報処理装置のパネルシャーシに磁石、本体シャーシにホール検出センサを搭載したときのパネルシャーシと本体シャーシとを開閉角度３６０度で閉じたときの斜視図である図４のＥ−Ｅの断面図である。
【００２７】
図８及び図９において、ホール検出センサ２７は、ホール素子とアンプやシュミットトリガ回路から構成されており、ホール効果を利用して、磁石の発生する磁界や電流の発生する磁界を、電気信号に変換して出力する非接触の磁気センサである。磁界の変化、強さによって位置、回転、角度等を検出することができるものである。なお、本実施形態では、入力する磁束方向の変化を検出するものとしてホール検出センサ２７を具体例に挙げて説明しているが、入力する磁束方向の変化を検出することができるものであれば、如何なるセンサを用いても良いことは勿論である。
【００２８】
図８の状態では、パネルシャーシ２２に搭載された磁石２６のＮ極からＳ極へ向かって矢印Ｇ１で示した磁力線が発生している。そして、この磁力線Ｇ１は、ホール検出センサ２７により、ホール検出センサ２７の上面から下面へ向かう磁束方向として検出される。換言すれば、ホール検出センサ２７は、パネルシャーシ２２の表示部２５を有する面からノートＰＣ１００の筺体外へ向かう磁力線を検出する。この検出結果を受けて、本体シャーシ２１内に搭載されているコントローラの制御部は、パネルシャーシ２２と本体シャーシ２１との開閉角度が０度であることを検出し、ノートＰＣ１００の動作を電源オフ状態や表示部２５をオフに制御することになる。
【００２９】
図９の状態では、パネルシャーシ２２に搭載された磁石２６のＮ極からＳ極へ向かって矢印Ｇ２で示した磁力線が発生している。そして、この磁力線Ｇ２は、ホール検出センサ２７により、ホール検出センサ２７の下面から上面へ向かう磁束方向として検出される。換言すれば、ホール検出センサ２７は、本体シャーシ２１の操作部２４を有する面からノートＰＣ１００の筺体外へ向かう磁力線を検出する。この検出結果を受けて、本体シャーシ２１内に搭載されているコントローラの制御部は、パネルシャーシ２２と本体シャーシ２１との開閉角度が３６０度であることを検出し、ノートＰＣ１００をタブレットＰＣとして動作するよう制御することになる。
【００３０】
図８及び図９においては、パネルシャーシ２２に磁石２６、本体シャーシ２１にホール検出センサ２７をそれぞれ搭載した場合について説明しているが、図１０及び図１１のように、パネルシャーシ２２にホール検出センサ２７、本体シャーシ２１に磁石２６をそれぞれ搭載するようにしても良い。要するに、磁石２６がパネルシャーシ２２又は本体シャーシ２１の何れか一方に内蔵され、ホール検出センサ２７が本体シャーシ２１又はパネルシャーシ２２の何れか一方に内蔵されていれば良い。
【００３１】
なお、本発明においては、クラムシェルモードのノートＰＣとコンバーチブルモードのノートＰＣといった複数機種を並行開発するにあたり、本体シャーシ２１内のプリント基板を共用化すること、及び小型軽量化を目的としているため、ホール検出センサ２７の検出結果を受けてパネルシャーシ２２と本体シャーシ２１との開閉角度を検出するコントローラの制御部は、本体シャーシ２１に設けておいたほうが好ましい。したがって、ホール検出センサ２７と、ホール検出センサ２７の検出結果を受けるコントローラとは、同一基板上に実装されていることがより好ましい。
【００３２】
すなわち、理論的には、以下述べるように、パネルシャーシ２２にホール検出センサ２７、本体シャーシ２１に磁石２６を搭載しても同様の効果を得ることができるが、図８、図９に示したように、パネルシャーシ２２に磁石２６、本体シャーシ２１にホール検出センサ２７をそれぞれ搭載したほうが、実装上、設計が容易になる。
【００３３】
図１０は、本発明の実施形態における情報処理装置のパネルシャーシにホール検出センサ、本体シャーシに磁石を搭載したときのパネルシャーシと本体シャーシとを開閉角度０度で閉じたときの斜視図である図２のＤ−Ｄ断面図である。また、図１１は、本発明の実施形態における情報処理装置のパネルシャーシにホール検出センサ、本体シャーシに磁石を搭載したときのパネルシャーシと本体シャーシとを開閉角度３６０度で閉じたときの斜視図である図４のＥ−Ｅ断面図である。
【００３４】
図１０の状態では、本体シャーシ２１に搭載された磁石２６のＮ極からＳ極へ向かって矢印Ｇ３で示した磁力線が発生している。そして、この磁力線Ｇ３は、ホール検出センサ２７により、ホール検出センサ２７の下面から上面へ向かう磁束方向として検出される。換言すれば、ホール検出センサ２７は、本体シャーシ２１の操作部２４を有する面からノートＰＣ１００の筺体外へ向かう磁力線を検出する。この検出結果を受けて、本体シャーシ２１内に搭載されているコントローラの制御部は、パネルシャーシ２２と本体シャーシ２１との開閉角度が０度であることを検出し、ノートＰＣ１００の動作を電源オフや表示部２５をオフ状態に制御することになる。
【００３５】
図１１の状態では、本体シャーシ２１に搭載された磁石２６のＮ極からＳ極へ向かって矢印Ｇ４で示した磁力線が発生している。そして、この磁力線Ｇ４は、ホール検出センサ２７により、ホール検出センサ２７の上面から下面へ向かう磁束方向として検出される。換言すれば、ホール検出センサ２７は、パネルシャーシ２２の表示部２５を有する面からノートＰＣ１００の筺体外へ向かう磁力線を検出する。この検出結果を受けて、本体シャーシ２１内に搭載されているコントローラの制御部は、パネルシャーシ２２と本体シャーシ２１との開閉角度が３６０度であることを検出し、ノートＰＣ１００をタブレットＰＣとして動作するよう制御することになる。
【００３６】
なお、図８から図１１において、磁石２６とホール検出センサ２７とは、略正対するように配置されているが、パネルシャーシ２２と本体シャーシ２１との開閉角度により磁束方向が変化することを検出できるのであれば、磁石２６とホール検出センサ２７とを正対させて配置することは必須の要件ではなく、ホール検出センサ２７を磁石２６の中心からずれた位置に配置するようにしても良い。すなわち、パネルシャーシ２２と本体シャーシ２１とが開閉角度０度で閉じた状態、又はパネルシャーシ２２と本体シャーシ２１とが開閉角度３６０度で閉じた状態において、ホール検出センサ２７は、磁石２６に対し、磁極同士を結んだ直線を含む平面上であって、磁石２６の中心からずれた位置に配置するようにしても良い。例えば、図８から図１１の紙面における左右方向、又は図８から図１１の紙面に対する垂直方向に移動した位置にホール検出センサ２７を配置することが可能である。
【００３７】
次に、本発明の他の実施形態について説明する。上述した実施形態は、磁石２６のＮ極とＳ極との磁極同士を結んだ直線が、パネルシャーシの表示部２５を有する面、又は本体シャーシ２１の操作部２４を有する面に平行になるように配置された場合であるが、他の実施形態は、磁石２６のＮ極とＳ極との磁極同士を結んだ直線が、パネルシャーシの表示部２５を有する面、又は本体シャーシ２１の操作部２４を有する面に垂直になるように配置された場合である。以下、他の実施形態について図１２から図１５を用いて説明する。
【００３８】
図１２は、本発明の他の実施形態における情報処理装置のパネルシャーシに磁石、本体シャーシにホール検出センサを搭載したときのパネルシャーシと本体シャーシとを開閉角度０度で閉じたときの斜視図である図２のＤ−Ｄ断面図である。また、図１３は、本発明の他の実施形態における情報処理装置のパネルシャーシに磁石、本体シャーシにホール検出センサを搭載したときのパネルシャーシと本体シャーシとを開閉角度３６０度で閉じたときの斜視図である図４のＥ−Ｅの断面図である。
【００３９】
図１２の状態では、パネルシャーシ２２に搭載された磁石２６のＮ極からＳ極へ向かって矢印Ｇ５で示した磁力線が発生している。そして、この磁力線Ｇ５は、ホール検出センサ２７により、ホール検出センサ２７の上面から下面へ向かう磁束方向として検出される。換言すれば、ホール検出センサ２７は、パネルシャーシ２２の表示部２５を有する面からノートＰＣ１００の筺体外へ向かう磁力線を検出する。この検出結果を受けて、本体シャーシ２１内に搭載されているコントローラの制御部は、パネルシャーシ２２と本体シャーシ２１との開閉角度が０度であることを検出し、ノートＰＣ１００の動作を電源オフ状態や表示部２５をオフに制御することになる。
【００４０】
図１３の状態では、パネルシャーシ２２に搭載された磁石２６のＮ極からＳ極へ向かって矢印Ｇ６で示した磁力線が発生している。そして、この磁力線Ｇ６は、ホール検出センサ２７により、ホール検出センサ２７の下面から上面へ向かう磁束方向として検出される。換言すれば、ホール検出センサ２７は、本体シャーシ２１の操作部２４を有する面からノートＰＣ１００の筺体外へ向かう磁力線を検出する。この検出結果を受けて、本体シャーシ２１内に搭載されているコントローラの制御部は、パネルシャーシ２２と本体シャーシ２１との開閉角度が３６０度であることを検出し、ノートＰＣ１００をタブレットＰＣとして動作するよう制御することになる。
【００４１】
図１２及び図１３においては、パネルシャーシ２２に磁石２６、本体シャーシ２１にホール検出センサ２７をそれぞれ搭載した場合について説明しているが、図１４及び図１５のように、パネルシャーシ２２にホール検出センサ２７、本体シャーシ２１に磁石２６をそれぞれ搭載するようにしても良い。要するに、磁石２６がパネルシャーシ２２又は本体シャーシ２１の何れか一方に内蔵され、ホール検出センサ２７が本体シャーシ２１又はパネルシャーシ２２の何れか一方に内蔵されていれば良い。
【００４２】
図１４は、本発明の他の実施形態における情報処理装置のパネルシャーシにホール検出センサ、本体シャーシに磁石を搭載したときのパネルシャーシと本体シャーシとを開閉角度０度で閉じたときの斜視図である図２のＤ−Ｄ断面図である。また、図１５は、本発明の他の実施形態における情報処理装置のパネルシャーシにホール検出センサ、本体シャーシに磁石、を搭載したときのパネルシャーシと本体シャーシとを開閉角度３６０度で閉じたときの斜視図である図４のＥ−Ｅ断面図である。
【００４３】
図１４の状態では、本体シャーシ２１に搭載された磁石２６のＮ極からＳ極へ向かって矢印Ｇ７で示した磁力線が発生している。そして、この磁力線Ｇ７は、ホール検出センサ２７により、ホール検出センサ２７の下面から上面へ向かう磁束方向として検出される。換言すれば、ホール検出センサ２７は、本体シャーシ２１の操作部２４を有する面からノートＰＣ１００の筺体外へ向かう磁力線を検出する。この検出結果を受けて、本体シャーシ２１内に搭載されているコントローラの制御部は、パネルシャーシ２２と本体シャーシ２１との開閉角度が０度であることを検出し、ノートＰＣ１００の動作を電源オフや表示部２５をオフ状態に制御することになる。
【００４４】
図１５の状態では、本体シャーシ２１に搭載された磁石２６のＮ極からＳ極へ向かって矢印Ｇ８で示した磁力線が発生している。そして、この磁力線Ｇ８は、ホール検出センサ２７により、ホール検出センサ２７の上面から下面へ向かう磁束方向として検出される。換言すれば、ホール検出センサ２７は、パネルシャーシ２２の表示部２５を有する面からノートＰＣ１００の筺体外へ向かう磁力線を検出する。この検出結果を受けて、本体シャーシ２１内に搭載されているコントローラの制御部は、パネルシャーシ２２と本体シャーシ２１との開閉角度が３６０度であることを検出し、ノートＰＣ１００をタブレットＰＣとして動作するよう制御することになる。
【００４５】
図１２から図１５に示したように、ホール検出センサ２７を、磁極が本体シャーシ２１又はパネルシャーシ２２に対して垂直になるよう配置した磁石２６に正対するように設けた場合であっても、図８から図１１に示した場合と同様に、パネルシャーシ２２と本体シャーシ２１との開閉角度によって磁束方向が変化することを検出することができる。したがって、磁石２６の実装スペースとの関係を考慮しつつ、磁石２６を、図８から図１１のように配置するか、図１２から図１５のように配置するかを適宜選択するようにしても良い。
【００４６】
以上説明したように、本発明では、クラムシェルモードにおけるパネルシャーシと本体シャーシとの開閉状態と、コンバーチブルモードにおけるパネルシャーシと本体シャーシとの開閉状態とを、単一の磁石の単一の極性から発生する磁力線が、両モードにおいて共通に用いられる単一のセンサに対して入力する磁束の向きの違いによって判定することとしている。
【００４７】
このように、本発明によれば、第１筐体と第２筐体とが、第１筐体の第１面と第２筐体の第１面とが対向する第１の積層状態と、第１筐体の第１面に対向する第２面と第２筐体の第１面に対向する第２面とが対向する第２の積層状態とに回動可能にヒンジによって接続されている情報処理装置であって、第１筐体又は第２筐体の何れか一方に内蔵された磁気センサにより、第２筐体又は第１筐体の何れか一方に内蔵された磁石が発生する第１面から筐体外に向かう磁力線を検出することにより、何れの積層状態であるかを判定することにより、小型軽量化を図ることが可能な情報処理装置を得ることができるのである。
【００４８】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００４９】
２１    本体シャーシ（第２筺体）
２２    パネルシャーシ（第１筺体）
２３    ヒンジ
２４    操作部
２５    表示部
２６    磁石
２７    ホール検出センサ
１００    情報処理装置（ノートＰＣ）
【図１】
2016076045.tif 000003
【図２】
2016076045.tif 000004
【図３】
2016076045.tif 000005
【図４】
2016076045.tif 000006
【図５】
2016076045.tif 000007
【図６】
2016076045.tif 000008
【図７】
2016076045.tif 000009
【図８】
2016076045.tif 000010
【図９】
2016076045.tif 000011
【図１０】
2016076045.tif 000012
【図１１】
2016076045.tif 000013
【図１２】
2016076045.tif 000014
【図１３】
2016076045.tif 000015
【図１４】
2016076045.tif 000016
【図１５】
2016076045.tif 000017